(57)【要約】【課題】タバコ臭、ペット臭、湿気臭等の臭気を帯びた被消臭物の消臭にあたり現状では天日干し、消臭剤と合わせて袋詰め、新聞紙をページ間に挟む、拭き取るなど、手間暇かけた一貫性のない非効率的な方法で行っており、これら消臭作業においていつでも随時、簡単にできる利便性の高い効果的な消臭装置を提供する。【解決手段】臭気を帯びた被消臭物の臭気消臭ボックス１に消臭剤ボックス２から発散する消臭気体をファン１３により送風し臭気を中和消臭、送風された風は流通路２０を通じて消臭剤ボックス２に戻る循環サイクルにより消臭をおこない、臭気消臭ボックス間の通風は整流形１４による風圧１６強化、又各スリット１５の幅の調整によりボックス内の風の対流、これらの通風対策より効果的に消臭、併せて中和消臭後の爽やか香を与える消臭剤の採用、又消臭時間は臭気レベル・職場環境に応じてタイマースイッチ１１により２４時間任意に設定、３６５日のサイクル等を特徴とする利便性の高い消臭装置である。【選択図】図１
2020110552.tif 000002
【特許請求の範囲】
【請求項１】
ラックマウント仕様でボックスを増やすことにより拡張性を有する機能を持つ、
基本装置は
１．臭気消臭ボックス：被消臭物（書物、ＣＤ／ＤＶＤケース、ヘッドセット、人形などの小物類）を収納する
２．消臭剤ボックス：臭気を消臭する消臭剤・送風ファン、そしてファンを制御するタイマー・電源等を収納する
３．風の循環経路、両側面に設けられた風の流通路
から構成されており、消臭剤から発散する気体をファンにより被消臭物に送風し中和消臭する、ファンにより送風された風は外部に排気する事なく最上段の臭気消臭ボックスの左右側面のフイルターを通して、両側面の縦の流通路を経由し、消臭剤ボックスに戻る循環を行うことで臭気の消臭をおこない消臭後の爽やかな香り、送風時間は１日２４時間、被消臭物の量、臭気レベル又運用面に応じて任意の適正時間帯の設定が可能であり３６５日サイクルできる利便性の高いことを特徴とする消臭装置。
【請求項２】
前記の複数臭気消臭ボックス間の棚に設けられた風の通風路は入口に整流形を付加することにより出口の風圧を効果的に上げ、上段の臭気消臭ボックスの被消臭物に送風することを特徴とする請求項１記載の消臭装置。
【請求項３】
前記の複数臭気消臭ボックス間の棚の送風路のスリット幅はボックス内の全体に風がいきわたるよう送風路の幅は中央部、外側に向け異なる（Ｗ３＞Ｗ２＞Ｗ１）ことを特徴とする請求項１記載の消臭装置。
【発明の詳細な説明】
【技術分野】
【０００１】本発明は臭気を帯びた被消臭物に消臭気体をファンにより送風し臭気を消臭、又の臭気消臭ボックスへの送風は、ファンにて送風そして風が通るボックス間の流通路の工夫により風圧を上げることにより被消臭物の峡部にわたり通風し消臭、風は外部に排気することなく装置内に循環する、消臭剤は人間の健康被害を与えない且つ機器に影響を与えない気体とし消臭後は爽やかな森林浴の香りをあたえる植物精油消臭剤を採用、被消臭物はいつでも収納、いつでも取り出すことができ、扉開閉時には安全面から各ボックスの扉スイッチによりファンは自動的にストップ・スタートし、且つファンは２４時間、臭気レベル又運用面に応じて任意の時間帯に設定ができるタイマースイッチを備えている等、利便性の高い装置である。【０００２】臭気消臭ボックスへの気体はファンにて強制され送風、その後次の臭気消臭ボックスへの送風は風の流通路に整流形を付けることによりアウトプットの風圧を上げることにより被消臭物の細部への消臭を生かしている。【０００３】風の流通路スリットの幅を中央は狭く両サイドは広くしボックス内の隅々に澱むことなく風が対流する。
【背景技術】
【０００４】消臭装置の類似品としては書籍消毒機が販売されており、機能は集塵・殺菌・消臭であるが紫外線による殺菌が主目的で短時間（３０秒〜６０秒）であるためタバコ臭などのハードな臭気では必ずしも満足する消臭に至っていない。【０００５】類似機器としては［特許文献］公開特許公報  平２−１５６９０４シューズボックスが公開されている。
概装置は“靴”に関する紫外線による殺菌・オゾン発生による消臭・集塵・ヒータによる乾燥等機能等脱着できる多様性を備えた装置であるが当発明は主として図書館分野における被消臭物を対象としており先ずは健康被害を防ぐ成分・製法を遵守した国際機関（ＩＦＲＡ基準）に基づく植物精油消臭剤を使用し、消臭剤から発散する気体による中和を行い消臭後、森林浴の香、爽やかさを与えます。【０００６】タバコ臭などのハードな異臭を帯びた被消臭物への消臭作業の手段として天日干し、袋詰め、新聞紙を挟み込む、拭き取りなどの手間暇かけた一貫性のない非効率の消臭・確認作業が行われている、当発明装置を採用することにより日常の運用面で簡単さ、且つ利便性の良い効果的な消臭作業ができる。
【先行技術文献】
【０００７】
【特許文献】
【特許文献】公開特許公報  平２−１５６９０４
【発明の概要】
【発明が解決しようとする課題】
【０００８】消臭剤が発散する気体の風圧を上げ、風の対流を効果的にする事。【０００９】臭気を外部に排気することなく循環し被消臭物を消臭し、消臭後の爽快な香り。【００１０】消臭作業はいつでも随時、簡単にでき，必要に応じて２４時間、任意に設定でき３６５日サイクルする利便性を備えていること。【００１１】異臭を帯びた被消臭物１８の消臭手段は、天日干し、袋詰め、新聞紙をページ間に挟む、拭き取り等の手作業等の手間暇をかけて消臭しており、これらの消臭作業を効率的、利便性良く効果的に消臭を行えること。
【課題を解決するための手段】
【００１２】［図１］は全体像を表す
１．  臭気消臭ボックス１のブラケット１７に被消臭物を掛け、
２．  消臭剤ボックス２内の消臭剤からの発散気体をファン１３により被消臭物              １８に向け送風し臭気を中和する、
３．  更に上段臭気消臭ボックス１−２への送風は整流形１４を付加し、通風ス              リット１５により風圧を加速し送風
４．  スリットの真上に掛けられた被消臭物１８に送風し消臭、
５．  その後風は左右のフイルター１９を通じて集塵し縦の流通路２０、出口２              １を通じて消臭剤ボックス２に戻る
６．  この周期を繰り返すことにより消臭剤の発散する気体を循環させ消臭する              。
７．  循環サイクルの動作時間は被消臭物の量、臭気レベル又日常の運用に合わ              せて設定する。
８．  設定にはタイマースイッチ１１により２４時間、任意の時間帯に設定し３              ６５日循環し消臭を行う。【００１３】消臭気体の風がボックス内に澱みを無く対流し消臭効果を上げるため通風のスリット１５の幅を中央部から左右外に向かって幅に変化を持たせている。【００１４】消臭剤１２から発散する消臭気体はファン１３の駆動部へ影響を与えない“気体”を採用、又採用する消臭剤は日本デオドール株式会社の製品の使用を推奨、当植物精油消臭剤は健康被害を防ぐ成分、製法を取り決めている国際機関（ＩＦＲＡ）のスタンダード（基準）を遵守している消臭剤であること、又森林浴成分のフイトンチットによる中和臭気後の被消臭物１８は、さわやかな香りがすることを特徴とする。
【発明の効果】
【００１５】本発明において臭気を帯びた被消臭物１８は、消臭装置に収納する消臭への作業が簡単、且つ容易であり利便性の高い。【００１６】上段の臭気消臭ボックス１に向けられた風はスリット１５幅を調整する事により上段ボックス１内のすいみずみ隅々まで澱むことなく分散した風が得られる。【００１７】上段ボックス１−１に送風される風は整流形１４による風圧１６により被消臭物の細部まで効果的に風が通風し消臭効果が見られる、例えば書籍のページ間が開き通風する消臭気体により効果が見られる。【００１８】消臭後の香は森林浴成分のフイトンチット効果によるさわやかな香りが残る。
【図面の簡単な説明】
【００１９】
【図１】消臭装置の正面図である。
【図２】装置の左右側の外面である。
【図３】装置の左右側の内図である。
【図４】風の（左側）循環図面である。
【図５】上下臭気消臭ボックス間の流通スリット図である。
【図６】通風スリットの断面図である。
【図７】整流形の図である。
【図８】通風スリット幅と被消臭物との位置関係図である。
【図９】ファンと被消臭物ブラケットの位置関係図である。
【図１０】扉開閉スイッチ図である。
【図１１】電気配線図である。
【発明を実施する為の形態】
【００２０】図１は本発明に係わる消臭装置を示す。正面から見た基本形の全体像を描写し、ラックの棚数、幅の拡張性をもつ。最下段の消臭剤ボックス２には消臭剤１２、タイマースイッチ１１・電源２２が収納、上面には上部の臭気消臭ボックス１に送風するファン１３、両側面は循環する風の流通路２０、出口２１を有する。臭気消臭ボックス１には被消臭物１８を掛けるブラケット１７、臭気消臭ボックス間の棚は風の流通スリット１５、上段の臭気消臭ボックス１の側面の開口部にはホコリを集塵、脱臭するフイルター１９、装置本体の側面は左右内５左右外面４との空間３は風の流通路２０を有する。
消臭剤１２から発散された消臭気体はファン１３により送風、風は被消臭物１８に当たり臭気を中和消臭、更に上段臭気消臭ボックス１へスリット棚７のスリット１５を通じて風を被消臭物１８に当て臭気を中和消臭する。風はフイルター１９を通して流通路２０、出口２１を経由し消臭剤ボックス２に戻る、消臭剤１２から発散する気体を循環サイクルすることにより消臭、送風時間はタイマースイッチ１１により臭気レベル、職場運用に応じて２４時間任意に設定、３６５日繰り返すことができる。
【００２１】図２は本消臭装置の左右側面の外面４を示し、移動用の車輪１０を装備する。
【００２２】図３は本消臭装置の左右側面の内面５を示し、風の循環経路である開口部フイルター１９、風の流通路２０からの出口２１を示す。
【００２３】図４は風の循環サイクルを示す。消臭剤１２から発散する気体はファン１３により臭気消臭ボックス１−１に送風、更にスリット棚７のスリット１５を通り上段の臭気消臭ボックス１−２へ、被消臭物１８に送風した後フイルター１９、流通路２０を通り出口２１を通じて消臭剤ボックスへと循環する。
【００２４】図５は複数の臭気消臭ボックス１間のスリット棚７、スリット１５、風圧１６を表す。被消臭物１８を掛けるブラケット１７との位置関係を示しており、スリット１５とブラケット１７は一直線上にある。又スリット幅は消臭効果を高めるためボックス内での風の澱みを無くす為、中央部は狭く外へ行くほど広くし対流効果を講じている。
【００２５】図６は図５の断面Ａ−Ａ’を示す。スリット棚７は風の風圧を強化する整流形１４を付加している。風の入口は広く出口を狭くする逆Ｖ字形の形状にすることにより風圧１６を上げ上部の臭気消臭ボックス１内のブラケット１７に掛けられた被消臭物１８に当て消臭効果を上げることを目的としている。
【００２６】図７は風の風圧１６を上げる整流形１４を示しており形状はＶ字形を形成し風の風圧効果を高める。
【００２７】図８は被消臭物１８を掛けるブラケット１７とスリット棚７のスリット１５との位置関係を示すものである。ブラケット１７の取付位置は支柱２２の複数ある穴にセットすることで高さの調整ができる。
【００２８】図９はファン棚８の上部からの図面を示す。ブラケット１７、支柱２２左右側面の風の流通路２０を示す。
【００２９】図１０は扉開閉スイッチ２３を示す。各スイッチは直列に接続されており各扉を開くことでファン１３はストップする。
【００３０】図１１は電気回路図を示す。タイマースイッチ１１、電源２２、扉スイッチ２３を通じてファン１３を制御する。
【符号の説明】
【００３１】１．臭気消臭ボックス
１−１消臭ボックス（Ｂａｓｅ）
１−２消臭ボックス（Ｕｐｐｅｒ）
２．消臭剤ボックス
３．風の流通路幅
４．左右外面
５．左右内面
６．被消臭物待機棚
７．スリット棚
８．ファン棚
９．底棚
１０．移動用車輪
１１．タイマースイッチ
１２．消臭剤
１３．ファン
１４．整流形
１５．スリット
１６．風圧
１７．ブラケット
１８．被消臭物
１９．フイルター
２０．風の流通路
２１．流通路出口
２２．電源
２３．支柱
２４．扉開閉スイッチ
Ａ−Ａ’．スリット棚の断面
【図１】
2020110552.tif 000003
【図２】
2020110552.tif 000004
【図３】
2020110552.tif 000005
【図４】
2020110552.tif 000006
【図５】
2020110552.tif 000007
【図６】
2020110552.tif 000008
【図７】
2020110552.tif 000009
【図８】
2020110552.tif 000010
【図９】
2020110552.tif 000011
【図１０】
2020110552.tif 000012
【図１１】
2020110552.tif 000013